(57)【要約】      （修正有）【課題】電気楽器の持ち替え等で迅速にケーブル保持操作を行うことの可能なケーブルホルダーを提供する。【解決手段】ケーブルホルダー１は、電気ギター１００等の電気楽器に設けたエンドピン１０１を利用してストラップ１１０によりに人体に保持する電気楽器に対してケーブル１２０を装着する際に用いる。ストラップ１１０またはエンドピン１０１に固定する第一固定部１０と、ケーブルに固定する第二固定部２０とを備える。これら第一、第二固定部１０、２０の固定によりストラップ１１０等にケーブル１２０を保持する。第一または第二固定部１０、２０は解放操作によりストラップ１１０等またはケーブル１２０を解放可能である。【選択図】図１
2014044337.tif 000002
【特許請求の範囲】
【請求項１】
電気ギター等の電気楽器に設けたエンドピンを利用してストラップによりに人体に保持する電気楽器に対してケーブルを装着する際に用いる電気楽器用ケーブルホルダーであって、
前記ストラップまたはエンドピン（以下、「ストラップ等」）に固定する第一固定部と、前記ケーブルに固定する第二固定部とを備え、これら第一、第二固定部の固定により前記ストラップ等に前記ケーブルを保持し、
前記第一または第二固定部は解放操作により前記ストラップ等またはケーブルを解放可能である電気楽器用ケーブルホルダー。
【請求項２】
前記第二固定部は摩擦により前記ケーブルを固定可能である請求項１記載の電気楽器用ケーブルホルダー。
【請求項３】
前記第一固定部は前記ストラップ等に掛けるフック部を備えている請求項１又は２記載の電気楽器用ケーブルホルダー。
【請求項４】
前記第一固定部は前記エンドピンに掛ける貫通孔を備えている請求項１又は２記載の電気楽器用ケーブルホルダー。
【請求項５】
前記第二固定部は面ファスナーにより前記前記ケーブルを締め付けて固定可能である請求項１〜４のいずれかに記載の電気楽器用ケーブルホルダー。
【請求項６】
前記面ファスナーは解放可能に構成されている請求項１〜５のいずれかに記載の電気楽器用ケーブルホルダー。
【請求項７】
前記第二固定部はフックまたはループ状に形成され、前記ケーブルにこれらフックまたはループの幅よりも大きな拡大部を設けて前記ケーブルの引き抜きを防止してある請求項２〜６のいずれかに記載の電気楽器用ケーブルホルダー。
【発明の詳細な説明】
【技術分野】
【０００１】
本発明は、電気楽器のケーブルホルダーに関する。さらに詳しくは、電気ギター等の電気楽器にケーブル装着する際に用いるケーブルホルダーに関する。
【背景技術】
【０００２】
従来から電気楽器のストラップとして、例えば特許文献１に示すものが知られている。この種のストラップでは、電気ギター等のケーブルは、テールピンに掛けたストラップの下をくぐらせることにより、ケーブルが引っ張られることでプラグが不測に抜けることを防止していた。
【０００３】
ギターを持つ際には、いったんギターを肩に掛けてから、ケーブルをストラップにくぐらせ、プラグをギターに差し込む場合が多い。不自然な姿勢でのケーブル操作は不便である。また、ギターを取り換える際には、ストラップを肩から外して、その後にケーブルを外すことが多く、ストラップとケーブルが絡まって煩雑である。これらの原因により、ギターの持ち替えに時間のかかる点が問題であった。
【先行技術文献】
【特許文献】
【０００４】
【特許文献１】特開２０１０−８５４２３号公報
【発明の概要】
【発明が解決しようとする課題】
【０００５】
かかる従来の実情に鑑みて、本発明は、電気楽器の持ち替え等で迅速にケーブル保持操作を行うことの可能なケーブルホルダーを提供することを目的とする。
【課題を解決するための手段】
【０００６】
上記目的を達成するため、本発明に係る電気楽器用ケーブルホルダーの特徴は、電気ギター等の電気楽器に設けたエンドピンを利用してストラップによりに人体に保持する電気楽器に対してケーブルを装着する際に用いる構成であって、前記ストラップまたはエンドピン（以下、「ストラップ等」）に固定する第一固定部と、前記ケーブルに固定する第二固定部とを備え、これら第一、第二固定部の固定により前記ストラップ等に前記ケーブルを保持し、前記第一または第二固定部は解放操作により前記ストラップ等またはケーブルを解放可能なことにある。
【０００７】
同構成によれば、ケーブルはケーブルホルダーにより電気楽器に保持される。前記第一または第二固定部は解放操作により前記ストラップ等またはケーブルを解放可能であるため、ストラップを電気楽器から外したり、ケーブルをストラップにくぐらせないでもケーブルの保持、取り外しが可能である。
【０００８】
また、前記第二固定部は摩擦により前記ケーブルを固定可能である。
前記第一固定部は前記ストラップ等に掛けるフック部を備えている。これに替えて、前記第一固定部は前記エンドピンに掛ける貫通孔を備えるものとしてもよい。
【０００９】
前記第二固定部は面ファスナーにより前記前記ケーブルを締め付けて固定可能である。そして、前記面ファスナーは解放可能に構成してもよい。
【００１０】
第二固定部はフックまたはループ状に形成され、前記ケーブルにこれらフックまたはループの幅よりも大きな拡大部を設けて前記ケーブルの引き抜きを防止してもよい。
【００１１】
第一、第二固定部は、例えば、板バネを利用したクリップ等により、ストラップまたはケーブルを固定するように構成してもよい。
【発明の効果】
【００１２】
上記本発明に係る電気楽器のケーブルホルダーの特徴によれば、電気楽器の持ち替え等で迅速にケーブル保持操作を行うことが可能となった。
【００１３】
本発明の他の目的、構成及び効果については、以下の発明の実施の形態の項から明らかになるであろう。
【図面の簡単な説明】
【００１４】
【図１】本発明に係る電気楽器のケーブルホルダーの第一実施形態を示し、（ａ）は正面図、（ｂ）は側面図、（ｃ）は取付状態を示す図である。
【図２】本発明に係る電気楽器のケーブルホルダーの第二実施形態を示し、（ａ）は正面図、（ｂ）は側面図である。
【図３】本発明に係る電気楽器のケーブルホルダーの第三実施形態を示し、（ａ）は正面図、（ｂ）は側面図である。
【図４】従来のケーブルの保持方法を示すギターのテール側の図である。
【発明を実施するための形態】
【００１５】
次に、図１〜図３を参照しながら、本発明をさらに詳しく説明する。
図１に示すように、ケーブルホルダーは、電気ギター等のケーブルをプラグで楽器本体につなぐ場合に、ケーブルの引張によるプラグの不測の抜けを防止するものである。このホルダーは、ギターストラップに掛けるフック部と、ケーブルを通すループ部とを有している。フック部はストラップに沿うように上端が扁平で、先端に抜けを防止するかえしが付いている。ループ部は、合成繊維、不織布、皮などの柔軟な素材で構成され、ケーブルの先端に付いたプラグを少なくとも通すだけの孔が開いており、このループの中は対抗する面で面ファスナーを設けている。
【００１６】
フック部の下には長穴があり、ループ部を構成するテープをこの長穴を貫通させて、溶着部で溶着固定してある。ループ部のループもテープの端を溶着固定して形成してある。面ファスナーは境界部でフックテープとループテープに分かれている。
【００１７】
使用するときは、あらかじめ、ループ部にケーブルを２回くぐらせ、面ファスナーを閉じてループの隙間を減らす。ギターにプラグを差し込んで、フックをストラップに掛けると、ケーブルを引かれても、ケーブルはループ部で保持されて、プラグは不測に抜けない。ストラップに対するケーブルの着脱は、フックの操作のみで行えるので、ギターの交換は極めて迅速に行うことができる。
【００１８】
掛合に際しては、フック部のフックをストラップの下にくぐらせ、先端の返しをストラップの表側に掛ける。フック部の横幅はストラップの横幅に近づけてあり、返しとともにフック部の外れを防止する。フック部は、合成樹脂の他、金属に合成樹脂やゴムを被覆したものも用いることができる。ギター等の傷つき防止のため、柔軟または弾性変形可能な素材を表面に設けることが望ましい。
【００１９】
面ファスナーは閉じることにより、ケーブルに対する摩擦力が発生する。この摩擦力と１回ループに通すことにより、ケーブルの抜けを防止する。
【００２０】
図２に示す第二実施形態におけるケーブルホルダーは、エンドピンに貫通させる上側の固定部と、ケーブルを着脱させる着脱部とを備えている。全体は、上記ループ部と同様の素材よりなる。固定部には、エンドピンの孔よりも大きく開口させるための切り込みを有する貫通孔を形成してある。着脱部は、下端で上に折り返されて対向し、これらの対抗面に面ファスナーを設けている。先端部はつまみやすいように、外側へ折り返されている。
【００２１】
使用に際しては、あらかじめエンドピンに固定部の貫通孔を貫通させ、その上にストラップをエンドピンに貫通させて掛ける。着脱部の面ファスナーを解放させて、ループにしたケーブルを面ファスナーの間に挟んで閉じることで、ケーブル取付が完了する。
【００２２】
図３に示す第三実施形態におけるケーブルホルダーは、第二固定部２０が、小フックとケーブル１２０に取り付けた拡大部としてのストッパーとよりなる。小フックは、フックの中の中間部から下側及び上側に向かうにしたがって幅狭となるテーパー状に構成してあり、上部に幅を拡大させる返しを設けてある。ストッパーは小フックの幅より大きな径の鍔と、ケーブルにストッパーを固定するためにカシメられる固定管とを備えている。上部には、たとえば第二実施形態のような第一固定部２０が設けられる。
【００２３】
使用に際しては、あらかじめこのケーブルホルダーをエンドピン等に取り付け、また、あらかじめケーブルにストッパーを固定しておき、必要に応じて小フックの上の解放部からケーブルを小フックの間に挿入する。ストッパーによりケーブルの抜けが防止され、小フック内面のテーパーにより、情報へのケーブルの抜けが防止される。
【００２４】
最後に、本発明の他の実施形態の可能性について言及する。上記実施形態及び以下の実施形態は一例に過ぎず、それぞれを単独で又は複数を組み合わせて実施することが可能であり、ケーブルの着脱を容易にし得る態様であれば、特に組み合わせは制限されない。
【００２５】
第一実施形態のフック部及び第三実施形態の小フックはそれぞれ形状の改変が可能である。また、小フックは、ストッパーを設けずに、第一、第二実施形態のようなループを設けて掛けることで、同様の効果が期待される。
【００２６】
本実施形態におけるケーブルは、主にシールドケーブルであるが、デジタル信号や電源のケーブルとすることも可能である。
【００２７】
第一、第二固定部は、それぞれ板バネを利用したクリップにより、ストラップまたはケーブルを挟み込んで固定する構造としてもよい。
【産業上の利用可能性】
【００２８】
本発明は、例えば、電気ギター、ベースやショルダーキーボード等、ストラップで人体に装着しケーブルの必要な電気楽器に利用することができる。
【符号の説明】
【００２９】
１：電気楽器のケーブル保持具、１０：第一固定部、２０：第二固定部、１００：ギター本体、１０１：エンドピン、１０２：ジャック、１１０：ストラップ、１２０：ケーブル
【図１】
2014044337.tif 000003
【図２】
2014044337.tif 000004
【図３】
2014044337.tif 000005
【図４】
2014044337.tif 000006